(57)【要約】【課題】生活行動調査対象の生活者や調査業者側の負担を大幅に軽減しつつ、多数の生活者の生活行動データを収集できるようにする。【解決手段】日分類項目を異なるコードを付して記憶する日分類マスタファイルと、行動分類項目を異なるコードを付して記憶する行動マスタファイルと、場所分類項目を異なるコードを付して記憶する場所マスタファイルと、人物項目を異なるコードを付して記憶する人物マスタファイルとを設ける。日分類マスタファイルの項目を選択肢とする行動日選択欄７４ａ，行動マスタファイルの項目を選択肢とする行動内容選択欄７６ｂ，７６ｃ，場所マスタファイルの項目を選択肢とする行動場所選択欄７６ｅ，７６ｆ及び人物マスタファイルの項目を選択肢とする行動者選択欄７６ｇを有する生活行動記録画面を表示部に表示させる。各選択欄から選択された各項目に対応する各コードを日別に蓄積し、出力する。【選択図】　　図１５
2004094355.tif 000002
【特許請求の範囲】
【請求項１】
生活者の衣食住に関する日々の生活行動を調査するのを支援する生活行動調査支援装置であって、
行動日を分類する日分類項目を項目毎に異なるコードを付して記憶する日分類マスタファイルと、
行動内容を分類する行動分類項目を項目毎に異なるコードを付して記憶する行動マスタファイルと、
行動場所を分類する場所分類項目を項目毎に異なるコードを付して記憶する場所マスタファイルと、
行動者を分類する人物項目を項目毎に異なるコードを付して記憶する人物マスタファイルと、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄及び前記人物マスタファイルに記憶された項目を選択肢とする行動者選択欄を有する生活行動記録画面を表示部に表示させる記録画面表示制御手段と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを日別に蓄積するデータ蓄積手段と、このデータ蓄積手段により日別に蓄積されたデータを出力するデータ出力手段とを具備したことを特徴とする生活行動調査支援装置。
【請求項２】
生活者の衣食住に関する１日の時間毎の生活行動を調査するのを支援する生活行動調査支援装置であって、
行動日を分類する日分類項目を項目毎に異なるコードを付して記憶する日分類マスタファイルと、
行動内容を分類する行動分類項目を項目毎に異なるコードを付して記憶する行動マスタファイルと、
行動場所を分類する場所分類項目を項目毎に異なるコードを付して記憶する場所マスタファイルと、
行動者を分類する人物項目を項目毎に異なるコードを付して記憶する人物マスタファイルと、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄，前記人物マスタファイルに記憶された項目を選択肢とする行動者選択欄及び行動時間帯を入力する時間帯入力欄を有する生活行動記録画面を表示部に表示させる記録画面表示制御手段と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを、前記時間帯入力欄から入力された時間帯データと対応付けて日別に蓄積するデータ蓄積手段と、
このデータ蓄積手段により日別に蓄積されたデータを出力するデータ出力手段とを具備したことを特徴とする生活行動調査支援装置。
【請求項３】
前記行動マスタファイルは、行動内容を分類する行動大分類項目を項目毎に異なるコードを付して記憶する行動大分類マスタファイルと、前記行動大分類項目毎にその項目によって分類される行動内容分類項目を行動小分類項目として項目毎に異なるコードを付して記憶する行動小分類マスタファイルとからなり、
前記生活行動記録画面の行動内容選択欄は、前記行動大分類項目を選択肢とする行動大分類選択欄と前記行動小分類項目を選択肢とする行動小分類選択欄とに分けられ、
前記行動大分類選択欄から行動大分類項目の１つが選択されると、その選択された行動大分類項目に含まれる行動小分類項目を前記行動小分類選択欄の選択肢とすることを特徴とする請求項１または２記載の生活行動調査支援装置。
【請求項４】
前記場所マスタファイルは、行動場所を分類する場所大分類項目を項目毎に異なるコードを付して記憶する場所大分類マスタファイルと、前記場所大分類項目毎にその項目によって分類される行動場所分類項目を場所小分類項目として項目毎に異なるコードを付して記憶する場所小分類マスタファイルとからなり、
前記生活行動記録画面の行動場所選択欄は、前記場所大分類項目を選択肢とする場所大分類選択欄と前記場所小分類項目を選択肢とする場所小分類選択欄とに分けられ、
前記場所大分類選択欄から場所大分類項目の１つが選択されると、その選択された場所大分類項目に含まれる場所小分類項目を前記場所小分類選択欄の選択肢とすることを特徴とする請求項１または２記載の生活行動調査支援装置。
【請求項５】
前記記録画面表示制御手段は、前記データ蓄積手段により蓄積されたデータに基づいて行動日，行動内容，行動場所及び行動者の選択結果を日付順に示す一覧表を前記生活行動記録画面の一部に表示させる手段を含むことを特徴とする請求項１記載の生活行動調査支援装置。
【請求項６】
前記記録画面表示制御手段は、前記データ蓄積手段により蓄積されたデータに基づいて１日の行動日，行動内容，行動場所及び行動者の選択結果を時間順に示す一覧表を前記生活行動記録画面の一部に表示させる手段を含むことを特徴とする請求項２記載の生活行動調査支援装置。
【請求項７】
前記データ出力手段は、ネットワークを介して接続される外部装置にデータを送信出力する手段であり、データ蓄積手段により日別に蓄積されたデータの中から未送信のデータを一括して送信する一括送信モードと、指定された期間内のデータを送信する期間指定モードとを選択可能であることを特徴とする請求項１または２記載の生活行動調査支援装置。
【請求項８】
前記データ出力手段は、データ未入力の過去日があると出力を禁止して該当日のデータ入力を要求する手段を含むことを特徴とする請求項７記載の生活行動調査支援装置。
【請求項９】
生活者の衣食住に関する日々の生活行動を調査するためにコンピュータに、
行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄及び前記人物マスタファイルに記憶された項目を選択肢とする行動者選択欄を有する生活行動記録画面を当該コンピュータの表示部に表示させる手順と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを日別に蓄積する手順と、
日別に蓄積されたデータを出力する手順とを実行させるための生活行動調査支援プログラム。
【請求項１０】
生活者の衣食住に関する日々の生活行動を調査するためにコンピュータに、
行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄及び前記人物マスタファイルに記憶された項目を選択肢とする行動者選択欄を有する生活行動記録画面を当該コンピュータの表示部に表示させる手順と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを日別に蓄積する手順と、
日別に蓄積されたデータを出力する手順とを実行させるための生活行動調査支援プログラムを記録したコンピュータ読取可能な記録媒体。
【請求項１１】
生活者の衣食住に関する１日の時間毎の生活行動を調査するためにコンピュータに、
行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄，前記人物マスタファイルに記憶された項目を選択肢とする行動者選択欄及び行動時間帯を入力する時間帯入力欄を有する生活行動記録画面を当該コンピュータの表示部に表示させる手順と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを、前記時間帯入力欄から入力された時間帯データと対応付けて日別に蓄積する手順と、
日別に蓄積されたデータを出力する手順とを実行させるための生活行動調査支援プログラム。
【請求項１２】
生活者の衣食住に関する１日の時間毎の生活行動を調査するためにコンピュータに、
行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、
前記日分類マスタファイルに記憶された項目を選択肢とする行動日選択欄，前記行動マスタファイルに記憶された項目を選択肢とする行動内容選択欄，前記場所マスタファイルに記憶された項目を選択肢とする行動場所選択欄，前記人物マスタファイルに記憶された項目を選択肢とする行動者選択欄及び行動時間帯を入力する時間帯入力欄を有する生活行動記録画面を当該コンピュータの表示部に表示させる手順と、
前記生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを、前記時間帯入力欄から入力された時間帯データと対応付けて日別に蓄積する手順と、
日別に蓄積されたデータを出力する手順とを実行させるための生活行動調査支援プログラムを記録したコンピュータ読取可能な記録媒体。
【請求項１３】
生活者の衣食住に関する日々の生活行動を調査するためにコンピュータにて実行される生活行動調査支援プログラムであって、
生活者の衣食住に関する所望の調査目的が設定された設定ファイルと、
前記所望の調査目的に対応したコードファイルと、
からなることを特徴とする生活行動調査支援プログラム。
【発明の詳細な説明】
【０００１】
【発明の属する技術分野】
本発明は、生活者の衣食住に関する日々の生活行動や時間毎の生活行動を調査するのを支援する生活行動調査支援装置及び生活行動調査支援プログラム並びにこのプログラムを記録した記録媒体に関する。
【０００２】
【従来の技術】
多くの生活者の日々の生活行動を調査し分析して、多様化する消費者の生活の実態を明らかにすることにより、企業が消費者の実生活に即した商品開発やプロモーションに役立てることができる。
【０００３】
そこで、選定された多数の生活者の衣食住に関する日々の生活行動データを収集してデータベース化し、その情報を細かく分類・集計して、企業に提供するサービスが要望されていた。
【０００４】
従来、このようなサービスを業者が運営するには、誰が、いつ、何処で、何をしたかという主旨の事柄を記入するための用紙を各生活者に配布し、一定期間経過後に、各生活者によってそれぞれ記入された用紙を回収して、この回収された用紙に記入された内容から、行動日に関する情報やその日の行動内容，行動場所，行動者に関する情報等を抽出しコード化してコンピュータに入力することにより、データベースを作成する方式が知られていた。
【０００５】
【発明が解決しようとする課題】
しかしながら、上記のような従来方式によって生活行動データのデータベースを作成しようとした場合、生活者は毎日の生活行動を自身の言葉で用紙に記入しなければならず、負担が大きかった。また、サービスを運営する業者側においても、各生活者から回収した用紙に記入された内容から必要な項目の情報を抽出する作業や、その抽出した情報をコード化してコンピュータに入力する作業等が必要で、作業担当者の負担が大きかった。
【０００６】
本発明はこのような事情に基づいてなされたもので、その目的とするところは、生活行動調査対象の生活者や調査業者側の負担を大幅に軽減しつつ、多数の生活者の生活行動データを収集できる生活行動調査支援装置、及びコンピュータを上記生活行動調査支援装置として機能させることができる生活行動調査支援プログラム並びにこのプログラムを記録した記録媒体を提供しようとするものである。
【０００７】
【課題を解決するための手段】
本発明はかかる課題を解決するものであり、請求項１の発明は、生活者の衣食住に関する日々の生活行動を調査するのを支援する生活行動調査支援装置であって、行動日を分類する日分類項目を項目毎に異なるコードを付して記憶する日分類マスタファイルと、行動内容を分類する行動分類項目を項目毎に異なるコードを付して記憶する行動マスタファイルと、行動場所を分類する場所分類項目を項目毎に異なるコードを付して記憶する場所マスタファイルと、行動者を分類する人物項目を項目毎に異なるコードを付して記憶する人物マスタファイルと、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄及び人物マスタファイルに記憶された項目を選択肢とする行動者選択欄を有する生活行動記録画面を表示部に表示させる記録画面表示制御手段と、生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを日別に蓄積するデータ蓄積手段と、このデータ蓄積手段により日別に蓄積されたデータを出力するデータ出力手段とを備えたものである。
【０００８】
この請求項１の発明においては、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄及び人物マスタファイルに記憶された項目を選択肢とする行動者選択欄を有する生活行動記録画面が表示部に表示されるので、生活行動データを入力する生活者は、行動日選択欄から該当する日分類項目を選択し、行動内容選択欄から該当する行動分類項目を選択し、行動場所選択欄から該当する場所分類項目を選択し、行動者選択欄から該当する人物項目を選択する。こうすることにより、その選択された日分類項目，行動分類項目，場所分類項目及び人物項目にそれぞれ対応するコードが各マスタファイルから読み出されて日別に蓄積された後、出力される。
【０００９】
本発明の請求項２の発明は、生活者の衣食住に関する１日の時間毎の生活行動を調査するのを支援する生活行動調査支援装置であって、行動日を分類する日分類項目を項目毎に異なるコードを付して記憶する日分類マスタファイルと、行動内容を分類する行動分類項目を項目毎に異なるコードを付して記憶する行動マスタファイルと、行動場所を分類する場所分類項目を項目毎に異なるコードを付して記憶する場所マスタファイルと、行動者を分類する人物項目を項目毎に異なるコードを付して記憶する人物マスタファイルと、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄，人物マスタファイルに記憶された項目を選択肢とする行動者選択欄及び行動時間帯を入力する時間帯入力欄を有する生活行動記録画面を表示部に表示させる記録画面表示制御手段と、生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを、時間帯入力欄から入力された時間帯データと対応付けて日別に蓄積するデータ蓄積手段と、このデータ蓄積手段により日別に蓄積されたデータを出力するデータ出力手段とを備えたものである。
【００１０】
この請求項２の発明においては、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄，人物マスタファイルに記憶された項目を選択肢とする行動者選択欄及び行動時間帯を入力する時間帯入力欄を有する生活行動記録画面が表示部に表示されるので、生活行動データを入力する生活者は、時間帯入力欄から行動時間帯を入力するとともに、行動日選択欄から該当する日分類項目を選択し、行動内容選択欄から該当する行動分類項目を選択し、行動場所選択欄から該当する場所分類項目を選択し、行動者選択欄から該当する人物項目を選択する。こうすることにより、その選択された日分類項目，行動分類項目，場所分類項目及び人物項目にそれぞれ対応するコードが各マスタファイルから読み出され、時間帯入力欄から入力された時間帯データと対応付けられて日別に蓄積された後、出力される。
【００１１】
本発明の請求項３の発明は、請求項１または２の発明の生活行動調査支援装置において、行動マスタファイルを、行動内容を分類する行動大分類項目を項目毎に異なるコードを付して記憶する行動大分類マスタファイルと、行動大分類項目毎にその項目によって分類される行動内容分類項目を行動小分類項目として項目毎に異なるコードを付して記憶する行動小分類マスタファイルとから構成し、生活行動記録画面の行動内容選択欄を、行動大分類項目を選択肢とする行動大分類選択欄と行動小分類項目を選択肢とする行動小分類選択欄とに分けて、行動大分類選択欄から行動大分類項目の１つが選択されると、その選択された行動大分類項目に含まれる行動小分類項目を行動小分類選択欄の選択肢とするものである。
【００１２】
この請求項３の発明においては、生活行動記録画面の行動内容選択欄が、行動大分類項目を選択肢とする行動大分類選択欄と行動小分類項目を選択肢とする行動小分類選択欄とに分けられる。そして、行動大分類選択欄から行動大分類項目の１つが選択されると、行動小分類選択欄の選択肢は、その選択された行動大分類項目に含まれる行動小分類項目に制限される。
【００１３】
本発明の請求項４の発明は、請求項１または２の発明の生活行動調査支援装置において、場所マスタファイルを、行動場所を分類する場所大分類項目を項目毎に異なるコードを付して記憶する場所大分類マスタファイルと、場所大分類項目毎にその項目によって分類される行動場所分類項目を場所小分類項目として項目毎に異なるコードを付して記憶する場所小分類マスタファイルとから構成し、生活行動記録画面の行動場所選択欄を、場所大分類項目を選択肢とする場所大分類選択欄と場所小分類項目を選択肢とする場所小分類選択欄とに分けて、場所大分類選択欄から場所大分類項目の１つが選択されると、その選択された場所大分類項目に含まれる場所小分類項目を場所小分類選択欄の選択肢とするものである。
【００１４】
この請求項４の発明においては、生活行動記録画面の行動場所選択欄が、場所大分類項目を選択肢とする場所大分類選択欄と場所小分類項目を選択肢とする場所小分類選択欄とに分けられる。そして、場所大分類選択欄から場所大分類項目の１つが選択されると、場所小分類選択欄の選択肢は、その選択された場所大分類項目に含まれる場所小分類項目に制限される。
【００１５】
本発明の請求項５の発明は、請求項１の発明の生活行動調査支援装置において、記録画面表示制御手段が、データ蓄積手段により蓄積されたデータに基づいて行動日，行動内容，行動場所及び行動者の選択結果を日付順に示す一覧表を生活行動記録画面の一部に表示させる手段を含むものである。
【００１６】
この請求項５の発明においては、行動日，行動内容，行動場所及び行動者の選択結果が日付順に示された一覧表が、生活行動記録画面の一部に表示される。
【００１７】
本発明の請求項６の発明は、請求項２の発明の生活行動調査支援装置において、記録画面表示制御手段が、データ蓄積手段により蓄積されたデータに基づいて１日の行動日，行動内容，行動場所及び行動者の選択結果を時間順に示す一覧表を生活行動記録画面の一部に表示させる手段を含むものである。
【００１８】
この請求項６の発明においては、１日の行動日，行動内容，行動場所及び行動者の選択結果が時間順に示された一覧表が、生活行動記録画面の一部に表示される。
【００１９】
本発明の請求項７の発明は、請求項１または２の発明の生活行動調査支援装置において、データ出力手段が、ネットワークを介して接続される外部装置にデータを送信出力する手段であり、データ蓄積手段により日別に蓄積されたデータの中から未送信のデータを一括して送信する一括送信モードと、指定された期間内のデータを送信する期間指定モードとを選択可能としたものである。
【００２０】
この請求項７の発明においては、データ蓄積手段により日別に蓄積されたデータが、外部装置にネットワークを介して送信出力される。このとき、一括送信モードが選択されると、未送信のデータが一括して送信出力され、期間指定モードが選択されると、指定された期間内のデータが送信出力される。
【００２１】
本発明の請求項８の発明は、請求項７の発明の生活行動調査支援装置において、データ出力手段が、データ未入力の過去日があると出力を禁止して該当日のデータ入力を要求する手段を含むものである。
【００２２】
この請求項８の発明においては、データ未入力の過去日があると、一括送信モードまたは期間指定モードが選択されてもデータの送信出力が行なわれず、該当日のデータ入力要求が行なわれる。
【００２３】
本発明の請求項９の発明は、生活者の衣食住に関する日々の生活行動を調査するためにコンピュータに、行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄及び人物マスタファイルに記憶された項目を選択肢とする行動者選択欄を有する生活行動記録画面を当該コンピュータの表示部に表示させる手順と、生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを日別に蓄積する手順と、日別に蓄積されたデータを出力する手順とを実行させるための生活行動調査支援プログラムである。
【００２４】
また、本発明の請求項１０の発明は、請求項９の発明の生活行動調査支援プログラムを記録したコンピュータ読取可能な記録媒体である。
【００２５】
この請求項９または１０の発明においては、コンピュータに、行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルが作成され、このコンピュータの表示部に、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄及び人物マスタファイルに記憶された項目を選択肢とする行動者選択欄を有する生活行動記録画面が表示される。そこで、生活行動データを入力する生活者が、コンピュータを操作して、行動日選択欄から該当する日分類項目を選択し、行動内容選択欄から該当する行動分類項目を選択し、行動場所選択欄から該当する場所分類項目を選択し、行動者選択欄から該当する人物項目を選択すると、その選択された日分類項目，行動分類項目，場所分類項目及び人物項目にそれぞれ対応するコードが各マスタファイルから読み出されて日別にコンピュータ内部で蓄積された後、コンピュータ外部に出力される。
【００２６】
本発明の請求項１１の発明は、生活者の衣食住に関する１日の時間毎の生活行動を調査するためにコンピュータに、行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルを作成する手順と、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄，人物マスタファイルに記憶された項目を選択肢とする行動者選択欄及び行動時間帯を入力する時間帯入力欄を有する生活行動記録画面を当該コンピュータの表示部に表示させる手順と、生活行動記録画面の行動日選択欄，行動内容選択欄，行動場所選択欄及び行動者選択欄からそれぞれ選択された日分類項目，行動分類項目，場所分類項目及び人物項目にそれぞれ対応する各コードを、時間帯入力欄から入力された時間帯データと対応付けて日別に蓄積する手順と、日別に蓄積されたデータを出力する手順とを実行させるための生活行動調査支援プログラムである。
【００２７】
また、本発明の請求項１２の発明は、請求項１１の発明の生活行動調査支援プログラムを記録したコンピュータ読取可能な記録媒体である。
【００２８】
この請求項１１または１２の発明においては、コンピュータに、行動日を分類する日分類項目を項目毎に異なるコードを付して記憶する日分類マスタファイル、行動内容を分類する行動分類項目を項目毎に異なるコードを付して記憶する行動マスタファイル、行動場所を分類する場所分類項目を項目毎に異なるコードを付して記憶する場所マスタファイル及び行動者を分類する人物項目を項目毎に異なるコードを付して記憶する人物マスタファイルが作成され、このコンピュータの表示部に、日分類マスタファイルに記憶された項目を選択肢とする行動日選択欄，行動マスタファイルに記憶された項目を選択肢とする行動内容選択欄，場所マスタファイルに記憶された項目を選択肢とする行動場所選択欄，人物マスタファイルに記憶された項目を選択肢とする行動者選択欄及び行動時間帯を入力する時間帯入力欄を有する生活行動記録画面が表示される。そこで、生活行動データを入力する生活者が、コンピュータを操作して、時間帯入力欄から行動した時間帯データを入力するとともに、行動日選択欄から該当する日分類項目を選択し、行動内容選択欄から該当する行動分類項目を選択し、行動場所選択欄から該当する場所分類項目を選択し、行動者選択欄から該当する人物項目を選択すると、その選択された日分類項目，行動分類項目，場所分類項目及び人物項目にそれぞれ対応するコードが各マスタファイルから読み出され、入力された時間帯データと対応付けられて日別にコンピュータ内部で蓄積された後、コンピュータ外部に出力される。
【００２９】
また、本発明の請求項１３の発明は、生活者の衣食住に関する日々の生活行動を調査するためにコンピュータにて実行される生活行動調査支援プログラムであって、生活者の衣食住に関する所望の調査目的が設定された設定ファイルと、所望の調査目的に対応したコードファイルとからなるものである。
【００３０】
【発明の実施の形態】
以下、本発明の実施の形態を図面を用いて説明する。はじめに、請求項１，請求項３〜５，請求項７〜９，請求項１１及び請求項１３に係る各発明に対応した第１の実施の形態について、図１〜図１７を用いて説明する。
【００３１】
図１は、本実施の形態のシステム構成を模式的に示す図である。同図において、符号１は、生活行動の調査対象者として選定された多数の生活者がそれぞれ使用するコンピュータ端末を示しており、ディスクトップパソコン，ノートパソコン等が適用される。各コンピュータ端末１は、コンピュータ間ネットワークを構築するインターネット２への接続環境を備えていることが必要である。なお、インターネット２へは、常時接続されている環境であってもよいし、ダイアルアップ接続により適時接続される環境であってもよい。
【００３２】
各生活者には、生活行動調査を行なう業者から、生活行動調査支援プログラムと称されるアプリケーションソフトが記録されたコンピュータ読取可能な記録媒体、例えばＣＤ−ＲＯＭ（Ｃｏｍｐａｃｔ　Ｄｉｓｋ　Ｒｅａｄ　Ｏｎｌｙ　Ｍｅｍｏｒｙ）３が配布されるので、各生活者は、それぞれＣＤ−ＲＯＭ３に記録されたアプリケーションソフト「生活行動調査支援プログラム」を自身のコンピュータ端末１にインストールする。そうすることにより、コンピュータ端末１は、生活行動調査支援装置として機能し、生活行動データの入力及び送信が可能となる。
【００３３】
各コンピュータ端末１に入力された生活行動データは、生活行動調査を行なう業者によって管理されているホストシステム４に、インターネット２を経由して送信される。ホストシステム４は、各生活者の衣食住に関する日々の生活行動データを一定期間収集し、データベース化する。また、このデータベース化された情報を分析，加工し、要求があった企業等にインターネット２等を介して閲覧可能とする。この場合において、各生活者から収集された生活行動データは数値的に加工されるので、個人を特定されるようなことはない。
【００３４】
図２は、一般的なコンピュータ端末１のハードウェア構成を示すブロック図である。コンピュータ端末１は、ＣＰＵ（Ｃｅｎｔｒａｌ　Ｐｒｏｃｅｓｓｉｎｇ　Ｕｎｉｔ）１１，メモリ１２，時計部１３，ＨＤＤ（Ｈａｒｄ　Ｄｉｓｋ　Ｄｒｉｖｅ）装置１４，ＣＤ−ＲＯＭドライブ装置１５，キーボード１６，マウス１７，ディスプレイ１８，通信ボード１９及び周辺機器Ｉ／Ｆ２０と、各部を接続するバスライン２１等で構成されている。
【００３５】
ＣＰＵ１１は、演算ユニット，レジスタ，デコーダ．プログラムカウンタ等を組み込んだマイクロプロセッサである。メモリ１２は、固定的なプログラムやデータ等が保持されるＲＯＭ（Ｒｅａｄ　Ｏｎｌｙ　Ｍｅｍｏｒｙ）と、可変的なプログラムやデータが一時的に保持されるＲＡＭ（Ｒａｎｄｏｍ　Ａｃｃｅｓｓ　Ｍｅｍｏｒｙ）とからなる。時計部１３は、日付を計時するカレンダー機能と、現在時刻を計時する時計機能とを有する。
【００３６】
ＨＤＤ装置１４は、各種のプログラムやデータファイルを記憶するための領域を有する。ＣＤ−ＲＯＭドライブ装置１５は、ＣＤ−ＲＯＭ３に記録されたデータを読取る。キーボード１６及びマウス１７は、マンマシンインタフェースの入力部として機能し、ディスプレイ１８は表示部として機能する。通信ボード１９は、電話回線，ケーブルテレビ回線等の通信回線を介してインターネット２に接続され、このインターネット２を利用して行なわれるデータ通信を制御する。
【００３７】
図３は、前記アプリケーションソフト「生活行動調査支援プログラム」を構成するフォルダ「月間行動記録」３０のファイル構造を示す図である。このフォルダ「月間行動記録」３０には、生活者の衣食住に関する所望の調査目的が設定された設定ファイルとしてのアプリケーションＩＮＩファイル３１、インストールＩＮＩファイル３２、前記所望の調査目的に対応した各種コードファイル３３、インストール実行ファイル（Ｓｅｔｕｐ．ＥＸＥ．）３４等が格納されている。
【００３８】
ここで、前記アプリケーションソフト「生活行動調査支援プログラム」のカスタマイズ方法手順について説明する。
【００３９】
先ず、調査の目的に応じてプロジェクトを企画する。すなわち、収集するデータの範囲（例えば、生活行動全般、食事をとる時間と内容、携帯電話を使う時間と利用内容等）、対象者属性（性別、年代、職業、調査地域等）、データを収集する収集期間（例えば、２００１年１２月１日〜２００２年１１月３０日まで、等）等を決定する。そして、当該プロジェクトに対して固有のプロジェクト名とプロジェクトＩＤコードとを決定する。次に、収集したいデータをテーマ毎に分類する（家族で行なった行動、本人のみが行なった行動、家事に関する行動等）。テーマは複数設定可能である。そして、各テーマに対してそれぞれ異なるテーマコードとテーマ名とを決定する。次に、調査対象とする多数の生活者を選定する。そして、選定した各生活者に対してそれぞれ固有のユーザＩＤコードを決定する。次に、調査対象として選定された各生活者からインターネット２を経由して生活行動データを収集する際のファイル転送プロトコルを決定する。
【００４０】
しかる後、アプリケーションＩＮＩファイル３１とインストールＩＮＩファイル３２を編集する。アプリケーションＩＮＩファイル３１には、図３に示すように、プロジェクトＩＤコード，ユーザＩＤコード，第１のテーマコード，第２のテーマコード，第１のテーマ名，第２のテーマ名，収集開始日，収集終了日及びファイル転送プロトコル等、生活者の衣食住に関する所望の調査目的が設定される。インストールＩＮＩファイルには、生活行動データが格納されるフォルダ名としてプロジェクト名が設定される。
【００４１】
次に、当該プロジェクトで使用する各種コードファイル３３をテキストファイルの形態で編集する。コードファイル３３には、図３に示すように、場所大分類マスタファイル３３ａ、場所小分類マスタファイル３３ｂ、行動大分類マスタファイル３３ｃ、行動小分類マスタファイル３３ｄ、催事マスタファイル３３ｅ、日分類マスタファイル３３ｆ、天気マスタファイル３３ｇ、評価マスタファイル３３ｈ、人物マスタファイル３３ｉ、支払方法マスタファイル３３ｊ、支払大分類マスタファイル３３ｋ、支払小分類マスタファイル３３ｍ等がある。
【００４２】
場所大分類マスタファイル３３ａは、図４に示すように、当該プロジェクトの調査対象者である生活者が行動すると考えられる場所を大まかに分類する場所大分類項目を、項目毎に異なる場所大分類コードを付して記憶したものである。また、場所小分類マスタファイル３３ｂは、図５に示すように、前記場所大分類項目によって分類される各行動場所分類項目を場所小分類項目として、該当する場所大分類コードとともに、項目毎に異なる場所小分類コードを付して記憶したものである。因みに、場所大分類項目としては、総合小売店、食品小売店、食品以外の小売店、飲食店、自宅及びその周辺、他人宅、娯楽・レジャー施設、公共サービス施設、教育・医療サービス施設、勤務先等が該当する。また、総合小売店によって分類される場所小分類項目としては、百貨店・デパート、スーパーマーケット、コンビニエンスストア等が該当し、食品小売店によって分類される場所小分類項目としては、青果店、酒販店、鮮魚・精肉店、米・パン屋等が該当し、食品以外の小売店によって分類される場所小分類項目としては、衣料・服飾雑貨店、ドラッグストア・化粧品店、書籍・文具店、家電店等が該当する。その他の場所小分類項目については説明を省略する。
【００４３】
行動大分類マスタファイル３３ｃは、前記場所大分類マスタファイル３３ａと同一ファイル構成で、当該生活者の行動内容を大まかに分類する行動大分類項目を、項目毎に異なる行動大分類コードを付して記憶したものである。また、行動小分類マスタファイル３３ｄは、前記場所小分類マスタファイル３３ｂと同一ファイル構成で、前記行動大分類項目によって分類される各行動内容分類項目を行動小分類項目として、該当する行動大分類コードとともに、項目毎に異なる行動小分類コードを付して記憶したものである。因みに、行動大分類項目としては、交際・贈答、行楽・娯楽・レジャー、スポーツ、趣味・教養、家事・育児等が該当する。また、交際・贈答によって分類される行動小分類項目としては、結婚式・披露宴、お葬式・法事、訪問、年賀、御見舞い、来客、会食等が該当し、行楽・娯楽・レジャーによって分類される行動小分類項目としては、旅行・観光、遊園地・テーマパーク、動物園・水族館、美術館・博覧会、映画・演劇、海水浴・プール等が該当し、スポーツとしては、テニス、ゴルフ、スキー、スケート、スポーツクラブ等が該当する。その他の行動小分類項目については説明を省略する。
【００４４】
催事マスタファイル３３ｅは、前記場所大分類マスタファイル３３ａと同一ファイル構成で、生活行動データを入力する日の催事項目を、項目毎に異なる催事コードを付して記憶したものである。因みに、催事項目としては、通常日、旅行、帰省、正月、成人式、入学式、母の日、七夕、クリスマス、誕生日等が該当する。
【００４５】
日分類マスタファイル３３ｆは、前記場所大分類マスタファイル３３ａと同一ファイル構成で、生活行動データを入力する日の分類項目を、項目毎に異なる日分類コードを付して記憶したものである。因みに、日分類項目としては、平日、休日、祝日等が該当する。
【００４６】
天気マスタファイル３３ｇは、前記場所大分類マスタファイル３３ａと同一ファイル構成で、生活行動データを入力する日の天気項目を、項目毎に異なる天気コードを付して記憶したものである。因みに、天気項目としては、晴、曇り、雨、雪等が該当する。
【００４７】
評価マスタファイル３３ｈは、前記場所大分類マスタファイル３３ａと同一ファイル構成で、生活行動データを入力した日の相対的な評価項目を、項目毎に異なる評価コードを付して記憶したものである。因みに、評価項目としては、良かった、普通、悪かった等が該当する。
【００４８】
人物マスタファイル３３ｉは、前記場所大分類マスタファイル３３ａと同一ファイル構成で、行動者を分類する人物項目を、項目毎に異なる人物コードを付して記憶したものである。因みに、人物項目としては、本人、夫（彼）、妻（彼女）、子供、家族全員、父母、祖父母、兄弟、親戚、知人等が該当する。
【００４９】
支払方法マスタファイル３３ｊは、前記場所大分類マスタファイル３３ａと同一ファイル構成で、生活行動に対して支出が発生したときの支払方法項目を、項目毎に異なる支払方法コードを付して記憶したものである。因みに、支払方法項目としては、現金払い、クレジットカード、各種金券・商品券等が該当する。
【００５０】
支払大分類マスタファイル３３ｋは、前記場所大分類マスタファイル３３ａと同一ファイル構成で、生活行動に対して発生した支出の内容を大まかに分類する支出大分類項目を、項目毎に異なる支出大分類コードを付して記憶したものである。また、支払小分類マスタファイル３３ｍは、前記場所小分類マスタファイル３３ｂと同一ファイル構成で、前記支出大分類項目によって分類される各支出分類項目を支出小分類項目として、該当する支出大分類コードとともに、項目毎に異なる支出小分類コードを付して記憶したものである。因みに、支出大分類項目としては、食費、衣料・服飾費、娯楽・レジャー費、趣味・教養費、交通費、生活雑貨費、医療費等が該当する。また、食費によって分類される支出小分類項目としては、食料品代、外食費等が該当し、衣料・服飾費によって分類される支出小分類項目としては、洋服代、和服代、服飾代等が該当し、娯楽・レジャー費によって分類される支出小分類項目としては、娯楽・レジャー用品代、入場料・チケット代、玩具代、旅行代等が該当する。その他の支出小分類項目については説明を省略する。
【００５１】
こうして、プロジェクトに合わせてアプリケーションＩＮＩファイル３１，インストールＩＮＩファイル３２及び各種のコードファイル３３を編集したならば、これらのファイルに、アプリケーションソフト「生活行動調査支援プログラム」のインストール実行ファイル３４と、使用許諾書のテキストファイルを加えてＣＤ−ＲＯＭ３を少なくとも行動調査対象として選定された生活者分作成する。この場合において、各ＣＤ−ＲＯＭ３のプロジェクトＩＤコード及びプロジェクト名は共通であるが、ユーザＩＤコードは１枚ずつ異なる。
【００５２】
作成されたＣＤ−ＲＯＭ３は、それぞれ調査対象者として選定された生活者に配布されるので、各生活者は、それぞれ自らが操作するコンピュータ端末１上でＣＤ−ＲＯＭ３に記録されたフォルダ「月間行動記録」３０を開き、インストール実行ファイル３４を実行して、アプリケーションソフト「生活行動調査支援プログラム」をインストールする。
【００５３】
こうすることにより、コンピュータ端末１のＨＤＤ装置１４には、図６に示すようなファイル構造がインストールされる。すなわちアプリケーションＩＮＩファイル３１、インストールＩＮＩファイル３２及び各種のコードファイル３３が、ＣＤ−ＲＯＭ３からコピーされる。また、同図に示すように、プロジェクト固有の出力ファイル及び格納ファイルとして、日別テーブルファイル６１，行動テーブルファイル６２、支払テーブルファイル６３及び写真データ格納フォルダ６４がＨＤＤ装置１４上に形成される。また、同様に生活行動調査支援装置を実行するための月間行動記録実行プログラム６５及び送信データを暗号化するプログラムが入ったデータ暗号処理フォルダ６６がＨＤＤ装置１４上に形成される。
【００５４】
日別テーブルファイル６１には、図７（ａ）に示すように、生活行動データの日付に関する出力データとして、日付，ユーザＩＤコード，プロジェクトＩＤコード，天気コード，日分類コード，評価コード，送信識別フラグ等の項目データからなるレコードが１日単位で記憶される。送信識別フラグは、対応する日付の生活行動データをホストシステム４に送信出力したか否かを識別するフラグである。
【００５５】
行動テーブルファイル６２には、図７（ｂ）に示すように、生活行動データの内容に関する出力データとして、行動ＩＤコード，ユーザＩＤコード，プロジェクトＩＤコード，テーマコード，行動日，催事コード，行動大分類コード，行動小分類コード，行動内容，家族主体識別，場所大分類コード，場所小分類コード，人物コード，日記内容，写真１ファイル名，写真２ファイル名，登録日，更新日等の項目データからなるレコードが１行動単位に記憶される。行動ＩＤコードは、１つの生活行動データに対して同一プロジェクトＩＤコードかつ同一ユーザＩＤコード内でユニークとなるように自動的に発番される。登録日は、このレコードが日別テーブルファイル６１に最初に設定された日付であり、更新日は、このレコードの内容が変更されたときの日付である。
【００５６】
支払テーブルファイル６３には、図７（ｃ）に示すように、１つの生活行動データに対して発生した支払いに関する出力データとして、行動ＩＤコード，ユーザＩＤコード，プロジェクトＩＤコード，支払大分類コード，支払小分類コード，支払詳細，支払方法コード，金額等の項目データからなるレコードが１支払単位に記憶される。
【００５７】
写真データファイル６４は、後述する図１５（ｃ）に図示されている添付写真情報の表示ボックスや写真編集ボタンにより入力や選択がされる写真の画像データ自体が記憶される領域である。
【００５８】
月間行動記録実行プログラム６５は、上述又は後述される「生活行動調査支援プログラム」のことである。このプログラムを実行されることで、後述する様々な処理が行なえる。
【００５９】
送信データ暗号処理フォルダ６６は、後述する未送信の生活行動データをセキュリティの観点から保護するための暗号処理を行なうフォルダである。このフォルダには、暗号化処理プログラムが記録されている。送信する際には、未送信の生活行動データをコピーして、暗号化処理プログラムにて暗号化された後に、ホストシステム４に送信される。
【００６０】
アプリケーションソフト「生活行動調査支援プログラム」のインストールが完了すると、生活者は、コンピュータ端末１上でこのアプリケーションソフト「生活行動調査支援プログラム」を実行することによって、衣食住に関する日々の生活行動データを入力できるようになる。
【００６１】
図８は、アプリケーションソフト「生活行動調査支援プログラム」を実行したときのＣＰＵ１１の処理手順を示す流れ図である。すなわちＣＰＵ１１は、アプリケーションソフト「生活行動調査支援プログラム」が起動されると、ステップ（以下、ＳＴと略称する）１として当該プロジェクト固有の日別テーブルファイル６１，行動テーブルファイル６２及び支払テーブルファイル６３を参照して、一ヶ月単位の日付順に生活行動データの入力結果を示す一覧表示シートを編集し、当月の一覧表示シートをディスプレイ１８に表示させる。また、当該プロジェクトの調査テーマ別に生活行動入力シートを編集し、一覧表示シートの背面に表示させる。ここで、一覧表示シートと各生活行動入力シートにはそれぞれタブが形成されており、このタブが選択（クリック）されたシートが最前面に表示される。また、ファイル出力ボタンＢ１，送信ボタンＢ２及び終了ボタンＢ３（図１３を参照）が、各シートに共通に表示される。
【００６２】
そこでＣＰＵ１１は、ＳＴ２〜ＳＴ４としていずれかのボタンが入力（クリック）されるか、ＳＴ５として各シートのタブが選択されるのを待機する。ボタンの入力またはタブの選択がない場合には、ＳＴ６として調査テーマを選択済か否かを判断する。一覧表示シートを表示している状態にあっては、調査テーマが選択されていないので、ＳＴ２の処理に戻る。
【００６３】
ＳＴ５にてタブの選択有りを検出すると、ＣＰＵ１１は、ＳＴ７として選択されたタブが一覧表示シートのものか各生活行動入力シートのものかを判断する。一覧表示シートのタブが選択された場合には、ＳＴ１の処理に戻る。
【００６４】
ＳＴ７にていずれかの生活行動入力シートのタブが選択された場合には、ＳＴ８としてそのタブによって選択された生活行動入力シートをディスプレイ１８の前面に表示させる（記録画面表示制御手段）。
【００６５】
図１３は生活行動入力シート７０の一構成例を示す図であり、調査テーマとして「家族出来事」と「本人出来事」の２つのテーマが設定されたプロジェクトにおいて、調査テーマ「家族出来事」のタブ７１が選択されたときの生活行動入力シート７０を示している。この生活行動入力シート７０は、日付別行動内容一覧表示部７２、日付選択部７３、日情報入力部７４及び生活行動入力部７５によって構成されている。調査テーマ「本人出来事」のタブ７６が選択されたときの生活行動入力シートも、構成要件はこれと同一である。
【００６６】
日付別行動内容一覧表示部７２は、図１４に示すように、日付順に行動内容，行動場所，行動者，家族主体行動，写真有無，支出額計，日記の各項目の入力データが表示されるエリアである。
【００６７】
日付選択部７３は、図１５（ａ）に示すように、１ヶ月単位のカレンダーが表示されるエリアであり、このカレンダーの月と日付別行動内容一覧表示部７２に表示される日付の月とは一致する。
【００６８】
日情報入力部７４は、図１５（ｂ）に示すように、生活行動データを入力する日の日分類項目，天気項目及び評価項目をそれぞれ入力するための入力ボックス７４ａ，７４ｂ，７４ｃと、登録・変更ボタンＢ４及び削除ボタンＢ５が表示されるエリアである。
【００６９】
生活行動入力部７５は、図１５（ｃ）に示す行動内容入力部７６と、図１６（ａ）に示す支出内容入力部７７と、図１６（ｂ）に示す日記入力部とからなり、タブが選択（クリック）された入力部が最前面に表示されるようになっている。
【００７０】
行動内容入力部７６は、１つの生活行動に当て嵌まる催事分類項目，行動大分類項目，行動小分類項目，行動内容，場所大分類項目，場所小分類項目，人物項目及び家族主体行動をそれぞれ入力するための入力ボックス７６ａ，７６ｂ，７６ｃ，７６ｄ，７６ｅ，７６ｆ，７６ｇと、２種類分の添付写真情報の表示ボックスと、写真編集ボタンＢ６、新規追加ボタンＢ７、登録・変更ボタンＢ８及び削除ボタンＢ９が表示されるエリアである。なお、家族主体行動は、行動者が本人以外の家族の行動である場合に入力される。
【００７１】
なお、この２種類分の添付写真情報の表示ボックスと、写真編集ボタンＢ６で処理された写真の画像データ自体は、前述した写真データファイル６４に保存されている。また、後述するように生活行動データを送信する場合には、指定期間内の該当する写真の画像データを写真データファイル６４から読み出すことは言うまでもない。
【００７２】
支出内容入力部７７は、１つの生活行動において発生した支出の支払分類項目，支払内容項目（支払大分類項目），支払内容項目（支払小分類項目），支払詳細，支払方法項目及び支払金額をそれぞれ入力するための入力ボックス７７ａ，７７ｂ，７７ｃ，７７ｄ，７７ｅと、入力された支払分類，支払内容，支払詳細及び支払金額の一覧表示ボックス７７ｆと、支払額合計の表示ボックス７７ｇと、新規追加ボタンＢ１０、登録・変更ボタンＢ１１及び削除ボタンＢ１２が表示されるエリアである。
【００７３】
日記入力部７８は、１つの生活行動に対する感想，背景等を日記風に記述する入力ボックス７８ａと、登録・変更ボタンＢ１３及び削除ボタンＢ１４が表示されるエリアである。
【００７４】
図８の説明に戻る。生活行動入力シート７０がディスプレイ１８の前面に表示された状態（ＳＴ６の処理でＹＥＳと判断するかＳＴ７の処理でＮＯと判断した後）で、ＣＰＵ１１は、ＳＴ９として生活行動入力シート７０から日付が入力されたか否かを判断する。生活行動入力シート７０の日付選択部７３に表示されたカレンダーの日付若しくは日付別行動内容一覧表示部７２に表示された日付が選択（クリック）されると、ＣＰＵ１１は、日付が入力されたものと判断する。ＳＴ９にて日付が入力されていないと判断した場合には、ＣＰＵ１１は、ＳＴ１０として日付が入力済か否かを判断する。メモリ１２の日付エリアに日付が格納されておらず、日付が入力済でない場合には、ＳＴ２の処理に戻る。
【００７５】
ＳＴ９にて日付が入力されたと判断すると、ＣＰＵ１１は、ＳＴ１１としてその日付をメモリ１２の日付エリアに格納する。また、この日付を「選択日」として日付選択部７３に表示させる（図１５を参照）。
【００７６】
日付が入力されている状態（ＳＴ１０の処理でＹＥＳと判断するかＳＴ１１の処理の後）で、ＣＰＵ１１は、ＳＴ１２として日情報処理を実行し、続いてＳＴ１３として行動内容処理を実行する。日情報処理及び行動内容処理については後述する。
【００７７】
行動内容処理を終了すると、ＣＰＵ１１は、ＳＴ１４として１つの生活行動データの行動内容を入力済か否かを判断する。行動内容が入力済の場合には、ＳＴ１５として支出内容処理を実行し、続いてＳＴ１６として日記処理を実行する。行動内容が入力済でない場合には、上記支出内容処理及び日記処理を行なわない。支出内容処理及び日記処理についても後述する。その後、ＣＰＵ１１は、ＳＴ２の処理に戻る。
【００７８】
ＣＰＵ１１は、ＳＴ２にてファイル出力ボタンＢ１の入力を検知した場合には、ファイル出力処理を実行する。また、ＳＴ３にて送信ボタンＢ２の入力を検知した場合には、ファイル送信処理を実行する。このファイル出力処理及びファイル送信処理についても後述する。一方、ＳＴ４にて終了ボタンＢ３の入力を検知した場合には、このアプリケーションソフト「生活行動調査支援プログラム」を終了させる。
【００７９】
図９は前記日情報処理の手順を示す流れ図である。図８のＳＴ１１の処理にて入力された日付をメモリ１２の日付エリアに記憶するか、ＳＴ１０の処理にて同日付エリアに日付が既に記憶されていることを確認すると、ＣＰＵ１１は、この日情報処理を開始する。
【００８０】
先ず、ＳＴ２１としてメモリ１２の日付エリアに記憶された日付で日別テーブルファイル６１を検索し、同一日付のレコードが格納されているか否かを判断する。同一日付のレコードが格納されている場合には、当該日付の日情報（日分類コード，天気コード，評価コード）が入力済であるので、この日情報をメモリ１２の該当エリアに読み出して、ＳＴ２７の処理に進む。同一日付のレコードが格納されていない場合には、当該日付の日情報が未入力であるので、ＳＴ２２の処理に進む。
【００８１】
ＳＴ２２の処理では、ＣＰＵ１１は、日情報入力部７４におけるいずれかの入力ボックス７４ａ，７４ｂ，７４ｃのプルダウンマーク“▽”がクリックされたか否かを判断する。クリックされていない場合には、この日情報処理を終了する。
【００８２】
クリックされたことを検知した場合には、そのクリックされた入力ボックスの入力項目が指定されたので、ＣＰＵ１１は、ＳＴ２３として指定された入力項目のリストをプルダウン表示させる。例えば、クリックされたボックスが日分類入力ボックス７４ａの場合には、日分類マスタファイル３３ｆに格納されている日分類項目のリストをプルダウン表示させる。また、天気入力ボックス７４ｂの場合には天気マスタファイル３３ｇの天気項目リストを、評価入力ボックス７４ｃの場合には評価マスタファイル３３ｈの評価項目リストをそれぞれプルダウン表示させる。
【００８３】
しかる後、ＣＰＵ１１は、ＳＴ２４として項目リストの中からいずれか１項目が選択（クリック）されるのを待機する。そして選択されたならば、ＳＴ２５としてその選択項目を該当する入力ボックスに表示させるとともに、該当するマスタファイルから選択項目のコードを読み出して、メモリ１２の該当コードエリアに上書き格納する。例えば、日分類項目リストかから日分類項目「平日」が選択された場合には、日分類入力ボックス７４ａに「平日」を表示させるとともに、日分類マスタファイル３３ｆから項目「平日」のコードを読み出して日分類コードエリアに格納する。天気項目及び評価項目が選択された場合も同様である。
【００８４】
こうして、日情報入力部７４のなかからいずれか１項目の情報が入力されたならば、ＣＰＵ１１は、ＳＴ２６として日情報に関する必須項目の入力が完了したか否かを判断する。必須項目の入力が完了していない場合には、ＳＴ２２の処理に戻る。必須項目の入力を完了した場合には、ＳＴ２７の処理に進む。
【００８５】
なお、どの項目を必須項目とするかは予めプログラムによって設定されている。本実施の形態では、日分類項目，天気項目及び評価項目の全てを必須項目とする。
【００８６】
ＣＰＵ１１は、ＳＴ２７の処理に進むと、日情報入力部７４の登録・変更ボタンＢ４及び削除ボタンＢ５の入力を可能とする。そして、ＳＴ２８として登録・変更ボタンＢ４が入力（クリック）されたか否かを判断する。入力された場合には、ＳＴ２９としてメモリ１２の日付エリアに格納されている日付と、インストール時にアプリケーションＩＮＩファイル３１によって設定されたユーザＩＤコード及びプロジェクトＩＤコードと、メモリ１２の日情報エリアに格納されている日分類コード，天気コード及び評価コードと、“未送信”を示す送信識別フラグとから日別テーブルファイル６１のレコードを作成する。そして、このレコードを日別テーブルファイル６１に格納する。このとき、日別テーブルファイル６１に既に同一日付のレコードが格納されていた場合には、そのレコードに上書きする。しかる後、この日情報処理を終了する。
【００８７】
登録・変更ボタンＢ４が入力されていない場合には、ＳＴ３０として削除ボタンＢ５が入力（クリック）されたか否かを判断する。入力された場合には、ＳＴ３１として日別テーブルファイル６１からメモリ１２の日付エリアに格納されている日付のレコードを削除する。しかる後、この日情報処理を終了する。
【００８８】
削除ボタンＢ５が入力されていない場合には、ＳＴ２２の処理に進む。そして、日情報入力部７４の入力ボックス７４ａ，７４ｂ，７４ｃがクリックされた場合にはＳＴ２３の処理に進み、クリックされていない場合には、この日情報処理を終了する。
【００８９】
図１０及び図１１は前記行動内容処理の手順を示す流れ図である。図８のＳＴ１２の日情報処理が終了すると、ＣＰＵ１１は、この行動内容処理を開始する。
【００９０】
先ず、ＳＴ４１としてメモリ１２の日付エリアに格納された日付で行動テーブルファイル６２を検索し、当該日付を行動日とするレコードが格納されているか否かを判断する。当該日付を行動日とするレコードが少なくとも１つ格納されている場合には、当該日付を行動日とする行動内容情報（催事分類コード，行動大分類コード，行動小分類コード，行動内容，場所大分類コード，場所小分類コード，人物コード等）が入力済であるので、最初に検出した行動内容情報をメモリ１２の該当エリアに読み出して、ＳＴ５２の処理に進む。当該日付を行動日とするレコードが格納されていない場合には、当該日付の行動内容情報が未入力であるので、ＳＴ４２の処理に進む。
【００９１】
ＳＴ４２の処理では、ＣＰＵ１１は、現時点において行動テーブルファイル６２に格納されているレコードでは使用されていない新規の行動ＩＤコードを発番する。次に、ＣＰＵ１１は、ＳＴ４３として行動内容入力部７６におけるいずれかの入力ボックス７６ａ，７６ｂ，７６ｃ，７６ｅ，７６ｆ，７６ｇのプルダウンマーク“▽”がクリック、若しくは他の入力ボックス７６ｄ，７６ｈがクリックされたか否かを判断する。クリックされていない場合には、この行動内容処理を終了する。
【００９２】
入力ボックス７６ａ，７６ｂ，７６ｃ，７６ｅ，７６ｆ，７６ｇのプルダウンマーク“▽”がクリックされた場合には、その入力ボックスの入力項目が指定されたので、ＣＰＵ１１は、ＳＴ４４として項目選択エリアへの入力であると判断する。そして、ＳＴ４５としてこの項目選択エリアが小分類項目の選択エリアか否かを判断する。
【００９３】
ここで、小分類項目の選択エリアである場合には、ＳＴ４６として対応する大分類項目が入力済か否かを調べる。そして、大分類項目が入力されていない場合には、ＳＴ５１の処理に進む。これに対し、大分類項目のコードがメモリ１２の該当エリアに格納されており、入力済である場合には、ＳＴ４７として該当する小分類項目マスタファイルから入力済の大分類項目によって分類される小分類項目を抽出する。そして、ＳＴ４８として小分類項目マスタファイルから抽出した小分類項目のリストをプルダウン表示させる。
【００９４】
一方、ＳＴ４５の処理にて項目選択エリアが小分類項目以外の選択エリアである場合には、直ちにＳＴ４８の処理に進み、指定された入力項目のリストをプルダウン表示させる。例えば、クリックされたボックスが催事分類入力ボックス７６ａの場合には、催事マスタファイル３３ｅに格納されている催事項目リストをプルダウン表示させる。また、行動大分類入力ボックス７６ｂの場合には行動大分類マスタファイル３３ｃの行動大分類項目リストをプルダウン表示させ、行動小分類入力ボックス７６ｃの場合には、行動大分類項目が選択されている場合に限り、その行動大分類項目のコードが設定された行動小分類項目のリストをプルダウン表示させる。同様に、クリックされたボックスが場所大分類入力ボックス７６ｅの場合には、場所大分類マスタファイル３３ａの場所大分類項目リストをプルダウン表示させ、場所小分類入力ボックス７６ｆの場合には、場所大分類項目が選択されている場合に限り、その場所大分類項目のコードが設定された場所小分類項目のリストをプルダウン表示させる。また、クリックされたボックスが人物入力ボックス７６ｇの場合には、人物マスタファイル３３ｉの人物項目リストをプルダウン表示させる。
【００９５】
しかる後、ＣＰＵ１１は、ＳＴ４９として項目リストの中からいずれか１項目が選択（クリック）されるのを待機する。そして選択されたならば、ＳＴ５０としてその選択項目を該当する入力ボックスに表示させるとともに、該当するマスタファイルから選択項目のコードを読み出して、メモリ１２の該当コードエリアに上書き格納する。例えば、催事項目リストから催事項目「正月」が選択された場合には、催事分類入力ボックス７６ａに「正月」を表示させるとともに、催事マスタファイル３３ｅから項目「正月」のコードを読み出して催事コードエリアに格納する。行動大分類項目、行動小分類項目、場所大分類項目、場所小分類項目及び人物項目が選択された場合も同様である。
【００９６】
一方、ＳＴ４３の処理にて指定有りと判断された入力ボックスが項目選択エリア以外の入力ボックス７６ｄ，７６ｈであった場合には、ＣＰＵ１１は、その入力ボックスに応じた入力記憶処理を実行する。例えば、クリックされた入力ボックスが行動内容入力ボックス７６ｄの場合には、キーボード１６から入力されるテキストデータを同ボックス７６ｄに表示させるとともに、メモリ１２の行動内容エリアに格納する。また、家族主体行動入力ボックス７６ｈの場合には、メモリ１２の家族主体行動フラグがセットされているか否かを判断する。そして、リセットされていない場合にはセットして家族主体行動入力ボックス７６ｈをチェックし、セットされている場合にはリセットして家族主体行動入力ボックス７６ｈのチェックを外す。
【００９７】
こうして、行動内容入力部７６のなかからいずれか１項目の情報が入力されたならば、ＣＰＵ１１は、ＳＴ５１として行動内容に関する必須項目の入力が完了したか否かを判断する。必須項目の入力が完了していない場合には、ＳＴ４３の処理に戻る。必須項目の入力を完了した場合には、ＳＴ５２の処理に進む。
【００９８】
なお、どの項目を必須項目とするかは予めプログラムによって設定されている。本実施の形態では、催事分類項目，行動大分類項目，行動小分類項目，行動内容，場所大分類項目，場所小分類項目及び人物項目を必須項目とする。
【００９９】
ＣＰＵ１１は、ＳＴ５２の処理に進むと、行動内容入力部７６の新規追加ボタンＢ７，登録・変更ボタンＢ８及び削除ボタンＢ９の入力を可能とする。そして、ＳＴ５３として新規追加ボタンＢ７が入力（クリック）されたか否かを判断する。入力された場合には、ＳＴ５４として発番済の行動ＩＤコードと、インストール時にアプリケーションＩＮＩファイル３１によって設定されたユーザＩＤコード及びプロジェクトＩＤコードと、選択された調査テーマのテーマコードと、メモリ１２の日付エリアに格納されている日付（行動日）と、メモリ１２の行動内容エリアに格納されている催事コード，行動大分類コード，行動小分類コード，行動内容，場所大分類コード，場所小分類コード，人物コード等から行動テーブルファイル６２のレコードを作成する。そして、このレコードを行動テーブルファイル６２に格納する（データ蓄積手段）。このとき、行動テーブルファイル６２に既に同一行動ＩＤコードのレコードが格納されていた場合には、そのレコードに上書きする。しかる後、ＳＴ４２の処理に進み、新規の行動ＩＤコードを発番する。
【０１００】
新規追加ボタンＢ７が入力されていない場合には、ＳＴ５５として登録・変更ボタンＢ８が入力（クリック）されたか否かを判断する。登録・変更ボタンＢ８が入力された場合には、ＳＴ５６として前記ＳＴ５４と同様の処理を実行して日別テーブルファイル６１のレコードを作成し、格納する（データ蓄積手段）。しかる後、この行動内容処理を終了する。このとき、図８のＳＴ１４にて行動内容入力済と判断する。
【０１０１】
登録・変更ボタンＢ８が入力されていない場合には、ＳＴ５７として削除ボタンＢ９が入力（クリック）されたか否かを判断する。削除ボタンＢ９が入力された場合には、ＳＴ５８として行動テーブルファイル６２からメモリ１２の日付エリアに格納されている日付を行動日とするレコードを一括して削除する。しかる後、この行動内容処理を終了する。このときは、図８のＳＴ１４にて行動内容入力済と判断しない。
【０１０２】
削除ボタンＢ５が入力されていない場合には、ＳＴ４３の処理に進む。そして、行動内容入力部７６の入力ボックス７６ａ〜７６ｈがクリックされた場合にはＳＴ４４の処理に進み、クリックされていない場合には、この行動内容入力処理を終了する。このときも、図８のＳＴ１４にて行動内容入力済と判断しない。
【０１０３】
図８のＳＴ１４にて行動内容入力済と判断されると、ＣＰＵ１１は、支出内容処理を開始する。この処理は、前記行動内容処理と類似しているので詳細な説明は省略する。すなわち、支出内容入力部７７の支払分類入力ボックス７７ａにプルダウン表示された支払大分類項目リストのなかから支払大分類項目が選択され、支払内容入力ボックス７７ｂにプルダウン表示された支払小分類項目リストから支払小分類項目が選択され、支払方法入力ボックス７７ｄにプルダウン表示された支払方法項目リストから支払方法項目が選択されるとともに、支払詳細エリア７７ｃに支払詳細内容を示すテキストデータが入力され、かつ支払金額入力ボックス７７ｅに支払金額を示すテキストデータが入力されると、新規追加ボタンＢ１０，登録・変更ボタンＢ１１及び削除ボタンＢ１２の入力を可能とする。ここで、新規追加ボタンＢ１０または登録・変更ボタンＢ１１が入力されると、直前の行動内容処理で使用された行動ＩＤコード，ユーザＩＤコード及びプロジェクトＩＤコードと、各入力ボックスから入力された各支払項目のデータ（支払大分類コード，支払小分類コード，支払方法コード，支払金額等）とから支払テーブルファイル６３のレコードを作成し、支払テーブルファイル６３に格納する。
【０１０４】
図８のＳＴ１５にて支出内容処理を終了すると、ＣＰＵ１１は、日記処理を開始する。すなわち、日記入力部７８の入力ボックス７８ａに日記内容を示すテキストデータが入力されると、登録・変更ボタンＢ１３及び削除ボタンＢ１４の入力を可能とする。ここで、登録・変更ボタンＢ１３が入力されると、その直前の行動内容処理で発番された行動ＩＤコードの行動テーブルファイルレコードに、当該日記データを追加する。
【０１０５】
図１２は前記送信処理の手順を示す流れ図である。図８のＳＴ３の処理において送信ボタンＢ２の入力を検知すると、ＣＰＵ１１はこの送信処理を開始する。
【０１０６】
先ず、ＳＴ６１としてディスプレイ１８に、図１７（ａ）に示すレイアウトの送信方法選択画面８０を表示させる。そして、ＳＴ６２として生活行動データの送信モードが指定されるのを待機する。なお、本実施の形態では、デフォルトとして一括送信モード８１が選択されているものとする。ＳＴ６２にて送信方法選択画面８０のＯＫボタンＢ１５が入力されると、一括送信モード８１が選択されているか期間指定モード８２が選択されているかを判断する。一括送信モード８１が選択されている場合には、ＣＰＵ１１は、ＳＴ６３として日別テーブルファイル６１から送信識別フラグが“未送信”のレコードを読み出す。また、日別テーブルファイル６１から読み出したレコードの日付を行動日とするレコードを行動テーブルファイル６２及び支払テーブルファイル６３から読み出す。そして、これらの読み出したレコードから本日まで未送信の生活行動データを取得する。
【０１０７】
一方、期間指定モード８２が選択されている場合には、ＣＰＵ１１は、ＳＴ６４として期間が指定されているか否かを判断する。送信方法選択画面８０の指定開始日ボックス８３及び指定終了日ボックス８４に開始日及び終了日が入力されていた場合には、この開始日から終了日までを指定期間と認識する。そして、ＣＰＵ１１は、ＳＴ６５として日別テーブルファイル６１から指定期間内で送信識別フラグが“未送信”のレコードを読み出す。また、日別テーブルファイル６１から読み出したレコードの日付を行動日とするレコードを行動テーブルファイル６２及び支払テーブルファイル６３から読み出す。そして、これらの読み出したレコードから指定期間内で未送信の生活行動データを取得する。
【０１０８】
ＳＴ６４にて期間が指定されていない場合には、ＣＰＵ１１は、ＳＴ６２の処理に戻る。ＳＴ６２にてキャンセルボタンＢ１６の入力を検知した場合には、この送信処理を終了する。
【０１０９】
ＳＴ６３またはＳＴ６５にて未送信の生活行動データを取得すると、ＣＰＵ１１は、ＳＴ６６としてその取得した生活行動データの日付に抜けがないかチェックする。そして抜けがない場合には、ＣＰＵ１１は、ＳＴ６７としてディスプレイ１８に、図１７（ｂ）に示すレイアウトの送信確認画面９０を表示させる。ここで、ＳＴ６８として送信確認画面９０のＯＫボタンＢ１７の入力を検知した場合には、ＣＰＵ１１は、ＳＴ６９としてインターネット２を利用して未送信の生活行動データをホストシステム４に送信する（データ出力手段）。
【０１１０】
なお、未送信の生活行動データを送信データ暗号処理フォルダ６６に一時的にコピーし、暗号化処理プログラムによって未送信の生活行動データを暗号化して、ホストシステム４に送信してもよい。このように暗号化処理を行なえると、セキュリティ上、非常に有益である。
【０１１１】
その後、ＣＰＵ１１は、ＳＴ７０として送信完了を検知すると、ＳＴ７１としてデータ送信が正常に行なわれたか否かを判断する。そして、ホストシステム４からの応答により送信正常完了を認識した場合に限り、ＳＴ７２として日別テーブルファイル６１に格納しているレコードのなかで、今回送信した生活行動データの日付に一致するレコードの送信識別フラグを“送信済”に変更する。以上で、この送信処理を終了する。なお、ＳＴ６８にてキャンセルボタンＢ１８の入力を検知した場合には、生活行動データを送信することなく送信処理を終了する。
【０１１２】
一方、ＳＴ６６にて生活行動データの日付に抜けがある場合には、ＣＰＵ１１は、ＳＴ７３としてディスプレイ１８に、図１７（ｃ）に示すレイアウトの未入力確認画面９１を表示させる。その後、ＳＴ７３として未入力確認画面９１のＯＫボタンＢ１９の入力を検知した場合には、ＣＰＵ１１は、生活行動データを送信することなくこの送信処理を終了する。
【０１１３】
図８のＳＴ２の処理において、ファイル出力ボタンＢ１の入力を検知すると、ＣＰＵ１１は、ファイル出力処理を開始する。前記送信処理では生活行動データをホストシステム４に送信したが、このファイル出力処理ではフレキシブルディスク等の可般式の記録媒体に書込み出力する（データ出力手段）。
【０１１４】
すなわち、ディスプレイ１８に送信方法選択画面８０を表示させ、送信モードが指定されると、その送信モードに従った未送信の生活行動データを取得する。そして、取得した生活行動データの日付に抜けがない場合に、送信確認画面９０を表示させ、ＯＫボタンＢ１７が入力されると、例えば周辺機器Ｉ／Ｆ２０に接続されているフレキシブルディスクドライブ装置を介してフレキシブルディスクに取得した生活行動データを書込み出力する処理を行なう。
【０１１５】
このように、第１の実施の形態の「生活行動調査支援プログラム」がインストールされたコンピュータ端末１においては、当該「生活行動調査支援プログラム」を実行することによって、日々の生活行動データの入力，蓄積及び送信出力またはファイル出力が可能となる。
【０１１６】
また、「生活行動調査支援プログラム」をインストールすることによって、コンピュータ端末１のＨＤＤ装置１４には、行動日を分類する日分類項目を項目毎に異なるコードを付して記憶する日分類マスタファイル３３ｆ、行動内容を分類する行動分類項目を項目毎に異なるコードを付して記憶する行動大分類マスタファイル３３ｃ及び行動小分類マスタファイル３３ｄ、行動場所を分類する場所分類項目を項目毎に異なるコードを付して記憶する場所大分類マスタファイル３３ａ及び場所小分類マスタファイル３３ｂ、行動者を分類する人物項目を項目毎に異なるコードを付して記憶する人物マスタファイル３３ｉ等の各種コードファイルが作成される。そして、日分類マスタファイル３３ｆに記憶された項目を選択肢とする行動日選択欄（日分類入力ボックス７４ａ）、行動大分類マスタファイル３３ｃ及び行動小分類マスタファイル３３ｄに記憶された項目をそれぞれ選択肢とする行動内容選択欄（行動大分類項目入力ボックス７６ｂ，行動小分類項目入力ボックス７６ｃ）、場所大分類マスタファイル３３ａ及び場所小分類マスタファイル３３ｂに記憶された項目をそれぞれ選択肢とする行動場所選択欄（場所大分類入力ボックス７６ｅ，場所小分類入力ボックス７６ｆ）、人物マスタファイル３３ｉに記憶された項目を選択肢とする行動者選択欄（人物入力ボックス７６ｇ）等を有する生活行動記録画面（生活行動入力シート７０）がディスプレイ１８に表示される。したがって、生活者は、各選択欄の選択肢の中から該当する項目を選択すればよいので、生活行動データの入力を簡単に行なえる。
【０１１７】
また、各選択欄から選択された項目はコードに変換されて日別テーブルファイル６１，行動テーブルファイル６２及び支払テーブルファイル６３に蓄積され、適時インターネット２を介してホストシステム４に送信され、データベース化されるので、生活行動データを収集する業者側の負担も大幅に軽減される。
【０１１８】
また、特に行動内容や行動場所等の項目は大まかな分類の大分類項目と、詳細な分類の小分類項目とに分けられ、小分類項目は、選択された大分類項目に該当する項目しか選択できないので、行動内容や行動場所等に関するデータを正確にかつ詳細に得ることができる。
【０１１９】
また、生活行動記録画面（生活行動入力シート７０）には、日付別行動内容一覧表示部７２が含まれており、日付順に行動日，行動内容，行動場所，行動者等の入力結果が示されるので、生活者は今までの入力内容を容易に確認できる利点もある。
【０１２０】
また、コンピュータ端末１からインターネット２を利用して生活行動データをホストシステム４に送信する際の送信モードとして一括送信モードと期間指定モードとがあり、一括送信モードが指定されると、未送信の生活行動データが一括して送信されるので、生活者が生活行動データをホストシステムに送信する際の操作も簡単である。また、期間指定モードを指定することによって、指定した期間の生活行動データのみを送信することも可能である。
【０１２１】
また、データ未入力の日付がある場合には生活行動データの送信が禁止され、該当日のデータ入力が要求される。したがって、生活行動データの入力漏れを確実に防止することができる。
【０１２２】
また本発明は、生活行動調査支援プログラムのプロジェクト内容やプロジェクトの期間、対象者属性に応じてアプリケーション内の設定ファイル（図６のアプリケーションＩＮＩファイル３１）および分類コードをそのプロジェクト固有のものに変更できるので、よりテーマを絞ったデータの収集や、より範囲の広いデータの収集など、収集したいデータ内容に柔軟に対応できるアプリケーションとなっている。
【０１２３】
次に、請求項２〜４，請求項６〜８，請求項１０，請求項１２及び請求項１３に係る各発明に対応した第２の実施の形態について、図１８〜図２５を用いて説明する。なお、第２の実施の形態においても、システム構成は第１の実施の形態と同様であり、同一部分には同一符号を付して説明を省略する。
【０１２４】
図１８は、この第２の実施の形態において生活者のコンピュータ端末１にインストールされるアプリケーションソフト「生活行動調査支援プログラム」のファイル構造を示す図である。このフォルダ「一日行動記録」１００には、第１の実施の形態のフォルダ「月間行動記録」３０と同様に、アプリケーションＩＮＩファイル３１、インストールＩＮＩファイル３２、各種コードファイル３３、インストール実行ファイル（Ｓｅｔｕｐ．ＥＸＥ．）３４等が格納されている。ただし、アプリケーションＩＮＩファイル３１には、プロジェクトＩＤコード，ユーザＩＤコード，収集開始日，収集終了日及びファイル転送プロトコルが設定されている。また、コードファイル３３には、催事マスタファイル３３ｅを除く各種マスタファイル、すなわち場所大分類マスタファイル３３ａ、場所小分類マスタファイル３３ｂ、行動大分類マスタファイル３３ｃ、行動小分類マスタファイル３３ｄ、日分類マスタファイル３３ｆ、天気マスタファイル３３ｇ、評価マスタファイル３３ｈ、人物マスタファイル３３ｉ、支払方法マスタファイル３３ｊ、支払大分類マスタファイル３３ｋ、支払小分類マスタファイル３３ｍが設定されている。
【０１２５】
図１９は、アプリケーションソフト「生活行動調査支援プログラム」をインストールしたことによって、コンピュータ端末１のＨＤＤ装置１４に形成される主要なファイル構造を示す図である。図示するように、第２の実施の形態においては、各種マスタファイルの他、プロジェクト固有の出力ファイルとして、日別テーブルファイル６１，行動テーブルファイル６２及び支払テーブルファイル６３に加えて二次行動テーブルファイル６７がＨＤＤ装置１４上に形成される。また、生活行動調査支援装置を実行するための日間行動記録実行プログラム６８及び送信データを暗号化するプログラムが入ったデータ暗号処理フォルダ６６がＨＤＤ装置１４上に形成される。
【０１２６】
日別テーブルファイル６１及び支払テーブルファイル６３に格納されるレコードのレイアウトは、第１の実施の形態と同様である。
【０１２７】
第２の実施の形態において、行動テーブルファイル６２には、図２０（ａ）に示すように、生活行動データの内容に関する出力データとして、行動ＩＤコード，ユーザＩＤコード，プロジェクトＩＤコード，行動日，行動開始時間，行動終了時間，場所大分類コード，場所小分類コード，行動大分類コード，行動小分類コード，行動内容，人物コード，コメント，登録日，更新日等の項目データからなるレコードが１行動単位に記憶される。
【０１２８】
二次行動テーブルファイル６７には、図２０（ｂ）に示すように、１つの生活行動データの生活行動に付随して発生した二次的な行動に関する出力データとして、行動ＩＤコード，ユーザＩＤコード，プロジェクトＩＤコード，行動開始時間，行動終了時間，行動大分類コード，行動小分類コード，行動内容，二次行動総数，二次行動連番，登録日，更新日等の項目データからなるレコードが１行動単位に記憶される。
【０１２９】
日間行動記録実行プログラム６８は、上述又は後述される「生活行動調査支援プログラム」のことである。このプログラムを実行されることで、後述する様々な処理が行なえる。
【０１３０】
図２１は、第２の実施の形態におけるアプリケーションソフト「生活行動調査支援プログラム」を実行したときのＣＰＵ１１の処理手順を示す流れ図である。すなわちＣＰＵ１１は、アプリケーションソフト「生活行動調査支援プログラム」が起動されると、ＳＴ８１として図２３に示すレイアウトの１日行動記録入力シート１１０をディスプレイ１８に表示させる。
【０１３１】
この１日行動記録入力シート１１０は、時間別行動内容一覧表示部１１１、日付選択部１１２、日情報入力部１１３及び生活行動入力部１１４によって構成されている。また、ファイル出力ボタンＢ２１，送信ボタンＢ２２及び終了ボタンＢ２３が表示されている。
【０１３２】
時間別行動内容一覧表示部１１１は、図２４に示すように、所定間隔（図では１５分間隔）の時間順に主行動内容，行動場所，主行動詳細，二次行動内容，行動者，支出，コメントの各項目の入力データが表示されるエリアである。
【０１３３】
日付選択部１１２及び日情報入力部１１３は、第１の実施の形態の日付選択部７３及び日情報入力部７４と同一構成である。
【０１３４】
生活行動入力部１１４は、図２５（ａ）に示す主行動入力部１１５と、図２５（ｂ）に示す二次行動入力部１１６と、第１の実施の形態の支出内容入力部７７と同様の支出内容入力部１１７と、第１の実施の形態の日記入力部７８と同様のコメント入力部１１８とからなり、タブが選択（クリック）された入力部が最前面に表示されるようになっている。
【０１３５】
主行動入力部１１５は、１つの生活行動に当て嵌まる行動開始時間，行動終了時間，場所大分類項目，場所小分類項目，主行動大分類項目，主行動小分類項目，行動内容及び人物項目をそれぞれ入力するための入力ボックス１１５ａ，１１５ｂ，１１５ｃ，１１５ｄ，１１５ｅ，１１５ｆ，１１５ｇ，１１５ｈと、登録・変更ボタンＢ２４及び削除ボタンＢ２５が表示されるエリアである。
【０１３６】
二次行動入力部１１６は、１つの生活行動に付随する二次的行動の行動開始時間，行動終了時間，二次行動大分類項目，二次行動小分類項目及び行動内容をそれぞれ入力するための入力ボックス１１６ａ，１１６ｂ，１１６ｃ，１１６ｄ，１１６ｅと、登録・変更ボタンＢ２６及び削除ボタンＢ２７が表示されるエリアである。
【０１３７】
図２１の説明に戻る。１日行動記録入力シート１１０がディスプレイ１８に表示された状態で、ＣＰＵ１１は、ＳＴ８２〜ＳＴ８４としていずれかのボタンＢ２１，Ｂ２２，Ｂ２３が入力（クリック）されるか、ＳＴ８５として生活行動入力シート７０から日付が入力されるのを待機する。生活行動入力シート７０の日付選択部７３に表示されたカレンダーの日付が選択（クリック）されると、ＣＰＵ１１は、日付が入力されたものと判断する。ＳＴ８５にて日付が入力されていないと判断した場合には、ＣＰＵ１１は、ＳＴ８６として日付が入力済か否かを判断する。メモリ１２の日付エリアに日付が格納されておらず、日付が入力済でない場合には、ＳＴ８２の処理に戻る。
【０１３８】
ＳＴ８５にて日付が入力されたと判断すると、ＣＰＵ１１は、ＳＴ８７としてその日付をメモリ１２の日付エリアに格納する。また、この日付を「選択日」として日付選択部１１２に表示させる。
【０１３９】
日付が入力されている状態（ＳＴ８６の処理でＹＥＳと判断するかＳＴ８７の処理の後）で、ＣＰＵ１１は、ＳＴ８８として日情報処理を実行し、続いてＳＴ８９として主行動処理を実行する。日情報処理は第１の実施の形態と同様なので、説明を省略する。主行動処理については後述する。
【０１４０】
主行動処理を終了すると、ＣＰＵ１１は、ＳＴ９０として１つの生活行動データの主行動を入力済か否かを判断する。主行動が入力済の場合には、ＳＴ９１として第１の実施の形態と同様の支出内容処理を実行し、続いてＳＴ９２として第１の実施の形態の日記処理と同様のコメント処理を実行し、さらに、ＳＴ９３として二次行動入力処理を実行する。二次行動入力処理については後述する。ＳＴ９０にて主行動が入力済でない場合には、上記支出内容処理，コメント処理及び二次行動入力処理を行なわない。その後、ＣＰＵ１１は、ＳＴ８２の処理に戻る。
【０１４１】
ＣＰＵ１１は、ＳＴ８２にてファイル出力ボタンＢ２１の入力を検知した場合には、ファイル出力処理を実行する。また、ＳＴ８３にて送信ボタンＢ２２の入力を検知した場合には、ファイル送信処理を実行する。このファイル出力処理及びファイル送信処理は、未送信の生活行動データを取得する際に、二次行動テーブルファイル６７から行動ＩＤコードが一致するレコードを読み出して処理する点を除いて第１の実施の形態と同様なので、説明を省略する。
【０１４２】
ＣＰＵ１１は、ＳＴ８４にて終了ボタンＢ８３の入力を検知した場合には、このアプリケーションソフト「生活行動調査支援プログラム」を終了させる。
【０１４３】
図２２は前記主行動処理の手順を示す流れ図である。図２１のＳＴ８８の日情報処理が終了すると、ＣＰＵ１１は、この主行動処理を開始する。
【０１４４】
先ず、ＳＴ１０１として行動開始時間及び終了時間が指定されるのを待機する。ここで、時間別行動内容一覧表示部１１１の時刻が選択（クリック）されるとその時刻を行動開始時間とし、この行動開始時間より所定時間後の時刻（この実施形態では１５分後）を行動終了時間として、主行動入力部１１５の時間入力ボックス１１５ａ，１１５ｂに表示させる。この時間入力ボックス１１５ａ，１１５ｂに表示された時間は、プルダウン表示される時間リストのなかで修正可能である。
【０１４５】
行動開始時間及び終了時間が指定され、メモリ１２の時間エリアに格納されると、ＣＰＵ１１は、ＳＴ１０２としてメモリ１２の日付エリアに格納された日付と、時間エリアに格納された行動開始時間及び終了時間とから行動テーブルファイル６２を検索し、当該日付を行動日とするレコードで開始時間が一致するレコードが格納されているか否かを判断する。該当するレコードが格納されている場合には、そのレコードの主行動情報（場所大分類コード，場所小分類コード，主行動大分類コード，主行動小分類コード，行動内容，人物コード等）をメモリ１２の該当エリアに読み出して、ＳＴ１１３の処理に進む。該当するレコードが格納されていない場合には、当該日付でかつ当該時間帯の主行動情報が未入力であるので、ＳＴ１０３の処理に進む。
【０１４６】
ＳＴ１０３の処理では、ＣＰＵ１１は、ＳＴ１０３として主行動入力部１１５における時間以外の入力ボックス１１５ｃ，１１５ｄ，１１５ｅ，１１５ｆ，１１５ｈのプルダウンマーク“▽”がクリック、若しくは行動内容入力ボックス１１５ｇがクリックされたか否かを判断する。クリックされていない場合には、この主行動処理を終了する。
【０１４７】
入力ボックス１１５ｃ，１１５ｄ，１１５ｅ，１１５ｆ，１１５ｈのプルダウンマーク“▽”がクリックされた場合には、その入力ボックスの入力項目が指定されたので、ＣＰＵ１１は、ＳＴ１０４として項目選択エリアへの入力であると判断する。そして、ＳＴ１０５としてこの項目選択エリアが小分類項目の選択エリアか否かを判断する。
【０１４８】
ここで、小分類項目の選択エリアである場合には、ＳＴ１０６として対応する大分類項目が入力済か否かを調べる。そして、大分類項目が入力されていない場合には、ＳＴ１１１の処理に進む。これに対し、大分類項目のコードがメモリ１２の該当エリアに格納されており、入力済である場合には、ＳＴ１０７として該当する小分類項目マスタファイルから入力済の大分類項目によって分類される小分類項目を抽出する。そして、ＳＴ１０８として小分類項目マスタファイルから抽出した小分類項目のリストをプルダウン表示させる。
【０１４９】
一方、ＳＴ１０５の処理にて項目選択エリアが小分類項目以外の選択エリアである場合には、直ちにＳＴ１０８の処理に進み、指定された入力項目のリストをプルダウン表示させる。例えば、クリックされたボックスが場所大分類入力ボックス１１５ｃの場合には、場所大分類マスタファイル３３ａの場所大分類項目リストをプルダウン表示させ、場所小分類入力ボックス１１５ｄの場合には、場所大分類項目が選択されている場合に限り、その場所大分類項目のコードが設定された場所小分類項目のリストをプルダウン表示させる。また、主行動大分類入力ボックス１１５ｅの場合には行動大分類マスタファイル３３ｃの行動大分類項目リストをプルダウン表示させ、主行動小分類入力ボックス１１５ｆの場合には、行動大分類項目が選択されている場合に限り、その行動大分類項目のコードが設定された行動小分類項目のリストをプルダウン表示させる。また、クリックされたボックスが人物入力ボックス１１５ｈの場合には、人物マスタファイル３３ｉの人物項目リストをプルダウン表示させる。
【０１５０】
しかる後、ＣＰＵ１１は、ＳＴ１０９として項目リストの中からいずれか１項目が選択（クリック）されるのを待機する。そして選択されたならば、ＳＴ１１０としてその選択項目を該当する入力ボックスに表示させるとともに、該当するマスタファイルから選択項目のコードを読み出して、メモリ１２の該当コードエリアに上書き格納する。
【０１５１】
一方、ＳＴ１０３の処理にて指定有りと判断された入力ボックスが行動内容入力ボックス１１５ｇであった場合には、ＣＰＵ１１は、キーボード１６から入力されるテキストデータを同エリア１１５ｇに表示させるとともに、メモリ１２の行動内容エリアに格納する。
【０１５２】
こうして、主行動入力部１１５のなかからいずれか１項目の情報が入力されたならば、ＣＰＵ１１は、ＳＴ１１１として主行動に関する必須項目の入力が完了したか否かを判断する。必須項目の入力が完了していない場合には、ＳＴ１０３の処理に戻る。必須項目の入力を完了した場合には、ＳＴ１１２として現時点において行動テーブルファイル６２に格納されているレコードでは使用されていない新規の行動ＩＤコードを発番した後、ＳＴ１１３の処理に進む。
【０１５３】
なお、どの項目を必須項目とするかは予めプログラムによって設定されている。本実施の形態では、行動大分類項目，行動小分類項目，行動内容，場所大分類項目，場所小分類項目及び人物項目を必須項目とする。
【０１５４】
ＣＰＵ１１は、ＳＴ１１３の処理に進むと、主行動入力部１１５の登録・変更ボタンＢ２４及び削除ボタンＢ２５の入力を可能とする。そして、ＳＴ１１４として登録・変更ボタンＢ２４が入力（クリック）されたか否かを判断する。入力された場合には、ＳＴ１１５として発番済の行動ＩＤコードと、インストール時にアプリケーションＩＮＩファイル３１によって設定されたユーザＩＤコード及びプロジェクトＩＤコードと、メモリ１２の日付エリア及び時間エリアに格納されている日付（行動日），開始時間及び終了時間と、メモリ１２の主行動エリアに格納されている場所大分類コード，場所小分類コード，行動大分類コード，行動小分類コード，行動内容，人物コード等から行動テーブルファイル６２のレコードを作成する。そして、このレコードを行動テーブルファイル６２に格納する（データ蓄積手段）。このとき、行動テーブルファイル６２に既に同一行動ＩＤコードのレコードが格納されていた場合には、そのレコードに上書きする。しかる後、この主行動処理を終了する。このとき、図２１のＳＴ９０にて主行動入力済と判断する。
【０１５５】
登録・変更ボタンＢ２４が入力されていない場合には、ＳＴ１１６として削除ボタンＢ２５が入力（クリック）されたか否かを判断する。削除ボタンＢ２５が入力された場合には、ＳＴ１１７として行動テーブルファイル６２からメモリ１２の日付エリアに格納されている日付を行動日とするレコードを一括して削除する。しかる後、この主行動処理を終了する。このときは、図２１のＳＴ９０にて主行動入力済と判断しない。
【０１５６】
削除ボタンＢ２５が入力されていない場合には、ＳＴ１０３の処理に進む。そして主行動入力部１１５の入力ボックス１１５ａ〜１１５ｈがクリックされた場合にはＳＴ１０４の処理に進み、クリックされていない場合には、この主行動入力処理を終了する。このときも、主行動入力済と判断しない。
【０１５７】
図２１のＳＴ９０にて主行動入力済と判断されると、ＣＰＵ１１は、支出内容処理，コメント処理に続いて、二次行動入力処理を開始する。この処理は、先ず、主行動入力部１１５の時間入力ボックス１１５ａ，１１５ｂに表示されていた開始時間及び終了時間を、二次行動入力部１１６の時間入力ボックス１１５ａ，１１５ｂに表示する。この状態で、二次行動大分類入力ボックス１１６ｃが選択（クリック）されると、行動大分類マスタファイル３３ｃの行動大分類項目リストをプルダウン表示させ、いずれかの行動大分類項目が選択されると、この行動大分類項目を同ボックス１１６ｃに表示させるとともに、対応する行動大分類項目コードをメモリ１２の二次行動大分類エリアに格納する。次に、二次行動小分類入力ボックス１１６ｄが選択（クリック）されると、行動小分類マスタファイル３３ｄから二次行動大分類エリアに格納されている行動大分類項目コードが設定された行動小分類項目のリストをプルダウン表示させ、いずれかの行動小分類項目が選択されると、この行動小分類項目を同ボックス１１６ｄに表示させるとともに、対応する行動小分類項目コードをメモリ１２の二次行動小分類エリアに格納する。次に、行動内容入力ボックス１１６ｅが選択（クリック）されると、キーボード１６から入力されるテキストデータを同ボックス１１６ｅに表示させるとともに、メモリ１２の行動内容エリアに格納する。その後、登録・変更ボタンＢ２６が入力されると、直前の主行動処理で使用された行動ＩＤコード，ユーザＩＤコード，プロジェクトＩＤコード，開始時間及び終了時間と、各入力ボックスから入力された二次行動データ（二次行動大分類コード，二次行動小分類コード，二次行動内容）から二次行動テーブルファイル６７のレコードを作成し、同ファイル６７に格納する。
【０１５８】
このように、第２の実施の形態の「生活行動調査支援プログラム」がインストールされたコンピュータ端末１においては、当該「生活行動調査支援プログラム」を実行することによって、１日の時間毎の生活行動データの入力，蓄積及び送信出力またはファイル出力が可能となる。この他、第１の実施の形態と同様な効果を奏し得る。
【０１５９】
なお、前記各実施の形態では、アプリケーションソフト「生活行動調査支援プログラム」を記録するコンピュータ読取可能な記録媒体としてＣＤ−ＲＯＭを用いたが、例えばフレキシブルディスク，光磁気ディスク，半導体メモリカード等であってもよい。また、アプリケーションソフト「生活行動調査支援プログラム」を記録媒体に記録せず、例えばホストシステム４からインターネット２を経由して各コンピュータ端末１にダウンロードしてもよいものである。
【０１６０】
また、アプリケーションソフト「生活行動調査支援プログラム」を実装したコンピュータ機器を専用の生活行動調査支援装置として各生活者に貸し出して、各生活者の衣食住に関する生活行動を調査することも可能である。
【０１６１】
【発明の効果】
以上詳述したように、請求項１の発明によれば、生活行動調査対象の生活者や調査業者側の負担を大幅に軽減しつつ、多数の生活者の日々の生活行動データを収集できる生活行動調査支援装置を提供できる。
【０１６２】
また、請求項２の発明によれば、生活行動調査対象の生活者や調査業者側の負担を大幅に軽減しつつ、多数の生活者の１日の時間毎の生活行動データを収集できる生活行動調査支援装置を提供できる。
【０１６３】
また、請求項３の発明によれば、生活行動の詳細な内容を簡単にかつ正確に入力できる効果を奏する。
【０１６４】
また、請求項４の発明によれば、生活行動に関する詳細な場所を簡単にかつ正確に入力できる効果を奏する。
【０１６５】
また、請求項５の発明によれば、日々の生活行動データの入力内容を容易に確認できる効果を奏する。
【０１６６】
また、請求項６の発明によれば、１日の時間毎の生活行動データの入力内容を容易に確認できる効果を奏する。
【０１６７】
また、請求項７の発明によれば、生活行動データを送信出力する際の操作も簡略化される。
【０１６８】
また、請求項８の発明によれば、生活行動データの入力漏れも防止できる。
【０１６９】
また、請求項９の発明によれば、生活者のコンピュータにインストールすることによって、生活行動調査対象の生活者や調査業者側の負担を大幅に軽減しつつ、多数の生活者の日々の生活行動データを収集できる生活行動調査支援プログラムを提供できる。
【０１７０】
また、請求項１０の発明によれば、生活者のコンピュータにインストールすることによって、生活行動調査対象の生活者や調査業者側の負担を大幅に軽減しつつ、多数の生活者の１日の時間毎の生活行動データを収集できる生活行動調査支援プログラムを提供できる。
【０１７１】
また、請求項１１の発明によれば、請求項９の発明と同様な効果を奏する生活行動調査支援プログラムを記録した記録媒体を提供できる。
【０１７２】
また、請求項１２の発明によれば、請求項１０の発明と同様な効果を奏する生活行動調査支援プログラムを記録した記録媒体を提供できる。
【０１７３】
また、請求項１３の発明によれば、生活行動調査支援プログラムの処理手順を変更することなく調査目的を変更することで、様々な生活行動を調査することができる。
【図面の簡単な説明】
【図１】本発明の実施の形態におけるシステム構成図。
【図２】同実施の形態におけるコンピュータ端末の要部構成を示すブロック図。
【図３】第１の実施の形態におけるフォルダ「月間行動記録」のファイル構造を示す概念図。
【図４】場所大分類マスタファイルのデータ構造を示す概念図。
【図５】場所小分類マスタファイルのデータ構造を示す概念図。
【図６】第１の実施の形態においてコンピュータ端末のＨＤＤ装置に形成される主要なデータファイル構造を示す図。
【図７】図６のテーブルファイルに格納されるレコードフォーマットを示す図。
【図８】第１の実施の形態においてアプリケーションソフト「生活行動調査支援プログラム」を実行したときのＣＰＵの処理手順を示す流れ図。
【図９】図９の処理ブロック「日情報処理」の内容を具体的に示す流れ図。
【図１０】図９の処理ブロック「行動内容処理」の内容の一部を具体的に示す流れ図。
【図１１】図９の処理ブロック「行動内容処理」の内容の残りを具体的に示す流れ図。
【図１２】図９の処理ブロック「送信処理」の内容を具体的に示す流れ図。
【図１３】第１の実施の形態においてコンピュータ端末のディスプレイに表示される生活行動入力シートの一構成例を示す図。
【図１４】生活行動入力シートの日付別行動内容一覧表示部を示す図。
【図１５】生活行動入力シートの日付選択部，日情報入力部及び生活行動入力部の行動内容入力部を示す図。
【図１６】生活行動入力部の支出内容入力部及び日記入力部を示す図。
【図１７】送信処理実行時にディスプレイに表示される画面の一例を示す図。
【図１８】第２の実施の形態におけるフォルダ「一日行動記録」のファイル構造を示す概念図。
【図１９】第２の実施の形態においてコンピュータ端末のＨＤＤ装置に形成される主要なデータファイル構造を示す図。
【図２０】図６の主要なテーブルファイルに格納されるレコードフォーマットを示す図。
【図２１】第２の実施の形態においてアプリケーションソフト「生活行動調査支援プログラム」を実行したときのＣＰＵの処理手順を示す流れ図。
【図２２】図２１の処理ブロック「主行動処理」の内容を具体的に示す流れ図。
【図２３】第２の実施の形態においてコンピュータ端末のディスプレイに表示される一日行動記録入力シートの一構成例を示す図。
【図２４】一日行動記録入力シートの時間別行動内容一覧表示部を示す図。
【図２５】一日行動記録入力シートの生活行動入力部における主行動入力部及び二次行動入力部を示す図。
【符号の説明】
１…コンピュータ端末
２…インターネット
４…ホストシステム
３３ａ…場所大分類マスタファイル
３３ｂ…場所小分類マスタファイル
３３ｃ…行動大分類マスタファイル
３３ｄ…行動小分類マスタファイル
３３ｆ…日情報マスタファイル
３３ｉ…人物マスタファイル
６１…日別テーブルファイル
６２…行動テーブルファイル
６３…支払テーブルファイル
６７…二次行動テーブルファイル
７０…生活行動入力シート
１１０…一日行動記録入力シート
【図１】
2004094355.tif 000003
【図２】
2004094355.tif 000004
【図３】
2004094355.tif 000005
【図４】
2004094355.tif 000006
【図５】
2004094355.tif 000007
【図６】
2004094355.tif 000008
【図７】
2004094355.tif 000009
【図８】
2004094355.tif 000010
【図９】
2004094355.tif 000011
【図１０】
2004094355.tif 000012
【図１１】
2004094355.tif 000013
【図１２】
2004094355.tif 000014
【図１３】
2004094355.tif 000015
【図１４】
2004094355.tif 000016
【図１５】
2004094355.tif 000017
【図１６】
2004094355.tif 000018
【図１７】
2004094355.tif 000019
【図１８】
2004094355.tif 000020
【図１９】
2004094355.tif 000021
【図２０】
2004094355.tif 000022
【図２１】
2004094355.tif 000023
【図２２】
2004094355.tif 000024
【図２３】
2004094355.tif 000025
【図２４】
2004094355.tif 000026
【図２５】
2004094355.tif 000027